【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
直径が１００ｎｍ〜１００μｍの安定したポリマー粒子であって、該ポリマー粒子は、
（ａ）水媒体中で１０〜９０℃の下限臨界共溶温度を示す１つ以上のポリマーである表面処理界面活性剤の存在下で行われる乳化法、拡散法及び蒸着法から選択される方法で得られるポリマー粒子であって、重合可能なアルキレングリコールアクリレートモノマーと重合可能なアルキレングリコールメタクリレートモノマーとから選択される１つ以上のモノマーの重合生成物であるか、あるいは、
（ｂ）生分解性ポリマーコアと熱応答性生体適合性コポリマーコロナを有するポリマー粒子であって、
前記コポリマーは、水媒体中で１０〜９０℃の下限臨界共溶温度を示すポリマーであり、
前記ポリマーは、重合可能なアルキレングリコールアクリレートモノマーと重合可能なアルキレングリコールメタクリレートモノマーから選択される１つ以上のモノマーの重合生成物である、
ポリマー粒子。
【請求項２】
前記粒子は、直径が５００ｎｍ〜１００μｍの安定したポリマー粒子である、請求項１に記載のポリマー粒子。
【請求項３】
前記ポリマーは、重合可能なアルキレングリコールアクリレートモノマーと重合可能なアルキレングリコールメタクリレートモノマーから選択される２つ以上のモノマーの重合生成物である、請求項１または２に記載のポリマー粒子。
【請求項４】
前記ポリマーは、重合可能なアルキレングリコールアクリレートモノマーと重合可能なアルキレングリコールメタクリレートモノマーから選択される２つ以上のモノマーの重合生成物であって、
前記重合可能なアルキレングリコールアクリレートモノマーと重合可能なアルキレングリコールメタクリレートモノマーは、ジ（エチレングリコール）−アクリレート、オリゴ（エチレングリコール）−アクリレート、ポリ（エチレングリコール）−アクリレート、ジ（エチレングリコール）−メタクリレート、オリゴ（エチレングリコール）−メタクリレート、ポリ（エチレングリコール）−メタクリレート、ポリ（プロピレングリコール）−アクリレート、及びポリ（プロピレングリコール）−メタクリレートから選択される、請求項３に記載のポリマー粒子。
【請求項５】
前記ポリマーは、ポリ（エチレングリコール）メタクリレート（ＰＥＧＭＡ）とポリ（プロピレングリコール）メタクリレート（ＰＰＧＭＡ）との重合生成物である、請求項４に記載のポリマー粒子。
【請求項６】
前記ポリマー粒子は、直径が５００ｎｍ〜５μｍの安定したポリマー粒子である、請求項１〜５の何れか１項に記載のポリマー粒子。
【請求項７】
前記ポリマー粒子は、ポリ（乳酸−コ−グリコール酸）、ポリ（乳酸）及びポリ（グリコール酸）から選択される生分解性ポリマーのバルク相又はコアを有する、請求項１から６の何れか１項に記載のポリマー粒子。
【請求項８】
前記ポリマーは、２５〜７５ｋＤａのモル質量を有し、該ポリマーの多分散性（Ｍｗ／Ｍｎ）指数は１〜２．５である、請求項１〜７の何れか１項に記載のポリマー粒子。
【請求項９】
前記ポリマー粒子は、そのバルク相又はコア内に、香味剤、芳香剤、小分子薬剤及び生物薬剤、並びに、組織成長、臓器修復及び再生医療のための緩効性成長因子およびその他の可溶性分子から選択される活性成分を含む、請求項１〜８の何れか１項に記載のポリマー粒子。
【請求項１０】
放出制御用途、あるいは、細胞支持体マトリックスとして使用される、請求項１〜９の何れか１項に記載のポリマー粒子。
【請求項１１】
請求項１〜１０の何れか１項に記載のポリマー粒子と、生体材料とを含む生成物。
【請求項１２】
前記生体材料は細胞である、請求項１１に記載の生成物。
【請求項１３】
請求項１〜１０の何れか１項に記載のポリマー粒子を含む細胞支持体マトリックス。
【請求項１４】
３７℃以下の温度で、（ｉ）細胞と、（ｉｉ）請求項１〜１０の何れか１項に記載のポリマー粒子を含む、流動性懸濁液。
【請求項１５】
体温で、（ｉ）細胞と、（ｉｉ）請求項１〜１０の何れか１項に記載のポリマー粒子を含む、細胞増殖を支持する空間充填型ゲル。
【請求項１６】
ポリマー粒子の調製方法であって、
−水媒体中で１０〜９０℃の下限臨界共溶温度を示すポリマーである１つ以上のポリマーであって、重合可能なアルキレングリコールアクリレートモノマーと重合可能なアルキレングリコールメタクリレートモノマーとから選択される１つ以上のモノマーの重合生成物であるポリマーを提供すること、及び、
−乳化法、拡散法及び蒸着法から選択される方法によりポリマー粒子を調製するために、表面処理界面活性剤として前記ポリマーを反応混合物に添加すること、
を含む方法。
【請求項１７】
前記ポリマーは、重合可能なアルキレングリコールアクリレートモノマーと重合可能なアルキレングリコールメタクリレートモノマーから選択される２つ以上のモノマーの重合生成物である、請求項１６に記載の方法。
【請求項１８】
前記ポリマーは、重合可能なアルキレングリコールアクリレートモノマーと重合可能なアルキレングリコールメタクリレートモノマーから選択される２つ以上のモノマーの重合生成物であって、
前記重合可能なアルキレングリコールアクリレートモノマーと重合可能なアルキレングリコールメタクリレートモノマーは、ジ（エチレングリコール）−アクリレート、オリゴ（エチレングリコール）−アクリレート、ポリ（エチレングリコール）−アクリレート、ジ（エチレングリコール）−メタクリレート、オリゴ（エチレングリコール）−メタクリレート、ポリ（エチレングリコール）−メタクリレート、ポリ（プロピレングリコール）−アクリレート、及びポリ（プロピレングリコール）−メタクリレートから選択される、請求項１６または１７に記載の方法。
【請求項１９】
前記ポリマーは、ポリ（エチレングリコール）メタクリレート（ＰＥＧＭＡ）とポリ（プロピレングリコール）メタクリレート（ＰＰＧＭＡ）との重合生成物である、請求項１８に記載の方法。
【請求項２０】
前記ポリマー粒子は、ポリ（乳酸−コ−グリコール酸）、ポリ（乳酸）及びポリ（グリコール酸）から選択される生分解性ポリマーのバルク相又はコアを有する、請求項１６〜１９の何れか１項に記載の方法。
【請求項２１】
前記ポリマーは、２５〜７５ｋＤａのモル質量を有し、該ポリマーの多分散性（Ｍｗ／Ｍｎ）指数は１〜２．５である、請求項１６〜２０の何れか１項に記載の方法。
【請求項２２】
前記ポリマー粒子は、そのバルク相又はコア内に、香味剤、芳香剤、小分子薬剤及び生物薬剤、並びに、組織成長、臓器修復及び再生医療のための緩効性成長因子およびその他の可溶性分子から選択される活性成分を含む、請求項１６〜２１の何れか１項に記載のポリマー粒子。
【請求項２３】
水媒体中で１０〜９０℃の下限臨界共溶温度を示すポリマーであって、重合可能なアルキレングリコールアクリレートモノマーと重合可能なアルキレングリコールメタクリレートモノマーとから選択される２つ以上のモノマーの重合生成物であるポリマー。
【請求項２４】
前記重合可能なアルキレングリコールアクリレートモノマーと重合可能なアルキレングリコールメタクリレートモノマーは、ジ（エチレングリコール）−アクリレート、オリゴ（エチレングリコール）−アクリレート、ポリ（エチレングリコール）−アクリレート、ジ（エチレングリコール）−メタクリレート、オリゴ（エチレングリコール）−メタクリレート、ポリ（エチレングリコール）−メタクリレート、ポリ（プロピレングリコール）−アクリレート、及びポリ（プロピレングリコール）−メタクリレートから選択される、請求項２３に記載のポリマー。
【請求項２５】
前記ポリマーは、ポリ（エチレングリコール）メタクリレート（ＰＥＧＭＡ）とポリ（プロピレングリコール）メタクリレート（ＰＰＧＭＡ）との重合生成物である、請求項２４に記載のポリマー。
【請求項２６】
前記ポリマーは、２５〜７５ｋＤａのモル質量を有し、該ポリマーの多分散性（Ｍｗ／Ｍｎ）指数は１〜２．５である、請求項２３〜２５の何れか１項に記載のポリマー。
【請求項２７】
水媒体中で１０〜９０℃の下限臨界共溶温度を示すポリマーの調製方法であって、重合可能なアルキレングリコールアクリレートモノマーと重合可能なアルキレングリコールメタクリレートモノマーとから選択される２つ以上のモノマーを重合反応でのモノマーとして使用することを含む方法。
【請求項２８】
前記重合可能なアルキレングリコールアクリレートモノマーと重合可能なアルキレングリコールメタクリレートモノマーは、ジ（エチレングリコール）−アクリレート、オリゴ（エチレングリコール）−アクリレート、ポリ（エチレングリコール）−アクリレート、ジ（エチレングリコール）−メタクリレート、オリゴ（エチレングリコール）−メタクリレート、ポリ（エチレングリコール）−メタクリレート、ポリ（プロピレングリコール）−アクリレート、及びポリ（プロピレングリコール）−メタクリレートから選択される、請求項２７に記載の方法。
【請求項２９】
使用する重合技術は、フリーラジカル法及び制御フリーラジカル法から選択される、請求項２７または２８に記載の方法。
【請求項３０】
前記モノマーは、ポリ（エチレングリコール）メタクリレート（ＰＥＧＭＡ）とポリ（プロピレングリコール）メタクリレート（ＰＰＧＭＡ）である、請求項２７〜２９の何れか１項に記載の方法。
【請求項３１】
乳化法、拡散法及び蒸着法から選択される方法によるポリマー粒子の調製方法であって、
表面処理界面活性剤として、請求項２３に記載のポリマーの単一での又は組み合わせての使用を含む、方法。
【請求項３２】
３７℃以下の温度では細胞とともに分散して流動性懸濁液を形成し、体温では細胞増殖を支持する空間充填型ゲルを形成する微粒子を調製する調製方法であって、
請求項２３に記載のポリマーの単一での又は組み合わせての使用を含む、方法。
【請求項３３】
粒子調製中に生分解性ポリマー球体の表面内に分配し、これにより、高度に制御可能なコロイド安定性及び生体材料特性を有する微粒子を生成する方法であって、
請求項２３に記載のポリマーの単一での又は組み合わせての使用を含む、方法。